(57)【特許請求の範囲】
【請求項１】
外科器具（２０）において、
遠位端部を含む第１の部品（５４）および近位端部を有する第２の部品（５６）を有する整列ガイド（５０）であって、前記第１の部品は、前記第１の部品が前記第２の部品に対して傾けられうるように、ピボット機構（６０）によって前記第２の部品に取り付けられる、整列ガイドと、
患者の手足に前記器具を取り付けるための、前記整列ガイドの前記近位端部に向けて取り付けられたブレース（３０）と、
前記整列ガイドの前記遠位端部に向けて取り付けられた構成要素（４０）と、
を含み、
前記ピボット機構は、前記第１の部品を傾けることにより前記構成要素と前記ブレースとの間の間隔が実質的に変化しないように、構成され、
前記第１の部品（５４）は、前記第１の部品の長さの一部に沿って延びる中空領域（１１４）を含み、前記中空領域は、前記第２の部品の少なくとも一部（６８）を受容することができ、
前記第１の部品（５４）の後側は、細長い開口部を含み、前記細長い開口部によって、前記第２の部品（５６）の前記一部は、前記第１の部品が前記第２の部品に対して傾斜されたときに前記第１の部品から解放されうる、器具。
【請求項２】
請求項１に記載の器具において、
前記ピボット機構（６０）は、湾曲部材（７４）を含み、
前記湾曲部材（７４）の位置と前記構成要素（４０）におけるある点との間の間隔が、前記湾曲部分の曲率半径と実質的に同じ長さを有する、器具。
【請求項３】
請求項２に記載の器具において、
前記ピボット機構（６０）は、前記第１の部分に取り付けられたスリーブ（９２）を含み、
前記スリーブは、前記湾曲部材（７４）上にスライド可能に設置される、器具。
【請求項４】
請求項１に記載の器具において、
前記ピボット機構は、前記第２の部品の長さ方向軸に沿ってスライドさせられて、前記器具の全長を変えることができる、器具。
【請求項５】
請求項１に記載の器具において、
前記ピボット機構（６０）は、特定の傾斜角度で前記ピボット機構を保持するクランプ（９８）を含む、器具。
【請求項６】
請求項１に記載の器具において、
前記ピボット機構（６０）は、前記器具の前記第１の部品の現在の傾斜度（７６）を表示することができる目盛りを含む、器具。
【請求項７】
請求項１に記載の器具において、
前記ブレース（３０）は、前記器具の後側に向かって外側に突出し、前記ピボット機構（６０）は、前記ブレースとは概ね反対の方向において前記器具の前側に向かって外側に突出する、器具。
【請求項８】
請求項１に記載の器具において、
ベース（８０）、
をさらに含み、
前記整列ガイドの前記近位端部は、前記ベース上にスライド可能に設置されて、前記整列ガイドの外側位置を前記ブレース（３０）に対して調節する、器具。
【請求項９】
請求項２に記載の器具において、
前記構成要素（４０）は、切断スロット（４２）を有する切断ブロックであり、前記器具は、前記第１の部品（５４）が前記切断スロットにおけるある点の周りを旋回するように構成されている、器具。
【発明の詳細な説明】
【開示の内容】
【０００１】
本発明は、外科器具に関し、具体的には、角度調節を有する整列ガイドに関する。
【０００２】
様々な器具および装置が、例えば膝関節形成処置など、整形外科の関節形成処置中に使用されて、その処置中に使用される様々な器具および装置の位置付けを助けてガイドする。例えば、図１は、膝関節形成処置中に使用されうる、患者の下肢に取り付けられた先行技術の外部脛骨整列ガイド１０の側面図を示す。整列ガイド１０は、近位脛骨切断を実行するために脛骨結節に対して脛骨切断ブロック１２を位置付けるのに使用される。整列ガイドは足首クランプ１４を含み、足首クランプ１４によって、ガイド１０は、患者の下肢１６に対して遠位に固定される。足首クランプは、ブロックと、足首の周りに係合する一対のクランプと、を含む。切断ブロックは、入れ子式に延びることができる支持部材１８に取り付けられる。支持体１８は、外部整列ガイドを提供し、取り付けられた切断ブロックは、外部整列ガイドにより、脛骨の長さ方向の下方−上方軸に対して位置付けられ整列されることができる。すなわち、支持部材は、脛骨の軸と整列されうる。
【０００３】
脛骨の切除位置は、切断ブロック１２と組み合わせて針（stylus）を用いて設定されてよく、いったん高さが選択されたら、切断ブロックを所定の場所にピンで留めて、脛骨の切断を実行することができる。
【０００４】
しかしながら、切断ブロックの高さのみ調節することができる。したがって、所望の、または予定の位置で切断を行うように、切断ブロックの位置を別様に変えることができない。
【０００５】
ゆえに、より大きな調節機能を備えた、より可撓性の整列ガイドが必要とされている。
【０００６】
本発明の第１の態様によれば、外科器具が提供され、この外科器具は、遠位端部を含む第１の部品および近位端部を有する第２の部品を有する整列ガイドであって、第１の部品は、ピボット機構により第２の部品に取り付けられ、第１の部品は、第２の部品に対して傾斜されることができる、整列ガイドと、患者の手足に器具を取り付けるための、整列ガイドの近位端部に向けて取り付けられたブレースと、整列ガイドの遠位端部に向けて取り付けられた構成要素と、を含む。
【０００７】
したがって、本発明の器具は、より大きな調節機能を提供する。それは、患者の手足の一部に対して好適な位置で構成要素を位置付けるように整列ガイドが傾けられうるためである。
【０００８】
好ましくは、ピボット機構は、第１部品を傾けることにより、構成要素とブレースとの間の間隔が実質的に変化しないように構成される。よって、整列ガイドが傾けられた後で器具の長さを調節する必要はない。
【０００９】
ピボット機構は湾曲部材を含むことができる。湾曲部材の位置と構成要素の一部の位置との間の間隔は、湾曲部材の曲率半径と実質的に同じ長さを有することができる。ゆえに、このようにして、旋回の中心が構成要素の好適な部品に与えられ、構成要素の高さは、その部品が傾斜する際に実質的に変わらない。
【００１０】
ピボット機構は、第１の部分に取り付けられたスリーブを含みうる。スリーブは、湾曲部材上にスライド可能に設置されることができる。
【００１１】
ピボット機構は、第２の部品の長さ方向軸に沿ってスライドされて、器具の全長を変えることができる。
【００１２】
ピボット機構は、特定の傾斜角度でピボット機構を保持するためのクランプを含むことができる。
【００１３】
ピボット機構は、器具の第１の部品の現在の傾斜度を表示することができる目盛りを含んでよい。
【００１４】
ブレースは、器具の後側に向かって外側に突出することができる。ピボット機構は、ブレースとは概ね反対方向において、器具の前側に向かって外側に突出することができる。ブレースに対して器具の概ね反対側にピボット機構を置くことで、ピボット機構を受容するのにより大きな空間を利用することができる。患者の手足が邪魔をしないので、ピボット機構を操作するのも、より簡単である。
【００１５】
第１の部品は、第１の部品の長さの一部に沿って延びる中空領域を含むことができる。中空領域は、第２の部品の少なくとも一部を受容することができる。第１の部品の後側は、細長い開口部を含むか、または後面を含まず、このため、第１の部品が第２の部品に対して傾けられると、第２の部品の一部が第１の部品から解放されうる。よって、器具の全長を延ばす第２の部品の余分な長さは、第１の部品を旋回させることを妨げない。
【００１６】
器具は、ベースをさらに含むことができる。整列ガイドの近位端部は、ベースにスライド可能に設置されて、整列ガイドの外側位置をブレースに対して調節することができる。ゆえに、患者の内側‐外側方向における整列ガイドの位置は、調節または微調整されうる。
【００１７】
本発明のさらなる態様は、前記に示し、以下に詳細に説明する本発明の器具の態様を使用または操作する方法を含むことができる。
【００１８】
本発明の実施形態を、ほんの一例として、添付図面を参照して説明する。
【００１９】
異なる図面中の同様のアイテムは、特に指定しない限り、共通の参照符号を共有している。
【００２０】
図２は、本発明の実施形態による器具２０の斜視図を示す。図３は、器具２０の側面図を示し、図４は、分解した器具の斜視図を示し、その構成部品を示している。
【００２１】
器具２０は、以下にさらに詳細に説明するように、一般的に、患者に器具を取り付けるための、器具の近位端部の方を向いたブレース３０を含む。構成要素４０が、器具２０の遠位端部に取り付けられ、例示された実施形態では、この構成要素は、切断ガイドの形態をしている。器具２０はまた、さらなる構成要素５０を含み、この構成要素５０を介して、切断ガイドおよびブレースは、それぞれの端部で取り付けられる。例示された実施形態では、さらなる構成要素５０は、外部整列ガイドである。整列ガイド５０は、ピボット機構６０を含み、ピボット機構６０は、以下にさらに詳細に説明するように、整列ガイドの第１の上部が整列ガイドの第２の下部に対して旋回することを可能にする。
【００２２】
ブレース３０は、ブレースを器具に解放可能に取り付けるスナップ嵌め機構により、ベース部材８０に取り付けられる。ベース８０は、概ね平坦な部材８２を有し、この部材８２は、後方部分から延びて、湾曲縁部８４をもたらす。部材８２の形状および寸法は、器具の使用中に患者の脛の表面の一部に湾曲縁部８４を隣接させるように選択される。ベース８０は、概ね側方または横方向にベースを横切って延びる溝８６および湾曲トラフ８８を含む。
【００２３】
整列ガイド構成要素の下部または下方部分５６は、足部分５８を含み、足部分５８は、概ねＵ字型の構成を有しており、リブ５９がトラフ８６に係合した状態でベース８０と係合して、ベース８０に対するスライド並進運動を可能にするように構成されている。クランプ組立体６０が、第１の部材６２および第２の部材６４ならびにバネ６０を含み、これらは金属ピンにより足部５８に取り付けられ、スライドを防ぐため使用中にトラフ８８と係合することができる。
【００２４】
整列ガイドの下部５６は、一対の対向する平坦な側面と一対の対向する湾曲側面とを備えた概ね矩形の形状を有する足部５８から延びる、中実で細長い部材６８を含む。
【００２５】
ピボット機構６０の第１の部品７０は、概ね中空の支持体７２を含み、湾曲部材７４が支持体７２から離れて延びている。湾曲部材７４は、その最上表面の近くに複数の角度のしるし７６を有している。ピボット機構の第１の部品７０は、その下方端部の方を向いたクリップ組立体７８を含む。クリップ組立体は、下方表面に開口部を有する概ね中空のハウジング７７と、同様の開口部を含むクリッププレート７９とを含む。バネ構成要素もクリップ機構内部に設けられる。
【００２６】
整列ガイドの下方部分５６の部材６８は、ピボット組立体の第１の部品のそれらの開口部および中空部分を通り抜ける。クリッププレート７９がバネの作用に対抗して押し下げられると、ピボット組立体は、部材６８の長さ方向軸に沿って並進運動させられて、器具の高さ全体を調節することができる。バネ部材は、クリッププレート７９に対抗して作用し、クリッププレートの開口部の縁部に部材６８を閉じ込めて、並進運動を妨げ、したがって、器具の高さを固定する。
【００２７】
ピボット組立体６０は、整列ガイドの第１の部品５４の端部に向けて設けられた第２の部品９０を含む。ピボット組立体６０の第２の部品９０は、丸みを帯びた湾曲スリーブ９２の形態をしており、スリーブ９２は、湾曲部材７４の対応する凹部と噛み合うための突出部９４をその内側部分に有する。湾曲部材７３に沿ったスリーブ９２の現在位置に応じて角度のしるし７６のうちの１つを表示させることができる開口部９６が、上部表面に設けられる。第１および第２のクランプ牽引具（clamp drawers）１００、１０２と、バネ１０４とを含むクランプ組立体９８も設けられる。クランプ組立体９８は、クランプ牽引具１００、１０２を通過してスリーブ９２の受容開口部内に入るピンによって、スリーブ９２に取り付けられる。湾曲部材７４の自由端に取り付けられ、湾曲部材７４の自由端がスリーブ９２から出るのを妨げるようにサイズ決めされた、端部停止プレート１０６も設けられている。
【００２８】
整列ガイドの第１の上方部品５４は、その長さ全体に沿って延びる中央開口部１１０を含む、概ね円形の円筒構造を有する。開口部は、部材６８を受容するように成形され寸法決めされており、上方部品５４は、部材６８の長さ方向軸に沿ってスライドすることができる。上方領域１１２は、閉じた円筒形態を有するが、下方領域１１４は、図３に最も良く示されるように、開いた後方部分を有し、概ねＣまたはＵ字型の断面を有する。開いた部分は、上方部品５４が下部（第２の部品）５６に対して傾けられたときに部材６８が上方部品５４内部から出ることができるような寸法に成形されている。
【００２９】
切断ブロック４０は、雄コネクタ（mail connector）により取り付けられたバネ付きクリップ１２０によって整列ガイド５０の遠位端部に取り付けられており、バネ付きクリップ１２０は上方部品５４の孔１１０の中で係合する。バネクリップ１２０により、様々な異なる構成要素を器具に選択的に取り付けることができる。例示された実施形態では、構成要素は、膝関節形成処置中に脛骨切断を行うのに適した切断ブロック４０である。切断ブロック４０は、主要本体４６に取り付けられた概ねプレート状の湾曲した上方部分４４を通り抜けるスロット４２を含む。本体４６は、切断ガイド４０を患者に取り付けるピンを受容するために使用中に患者の骨に穴をあけることができるように、ドリルビットを受容する複数の穴（coals）を含む。
【００３０】
ピボット機構６０の湾曲部材６４は、切断ブロックのある点を中心とした曲率半径を有する。この幾何学的形状のために、スリーブ９２が湾曲部材７４に沿ってスライドされると、整列ガイドの上方部品５４は、下部５６に対して傾くが、器具の全長は変わらない、すなわち、ブレースより上の切断ブロック４０の少なくとも一部の高さは、整列ガイドの上方部品が構成要素に位置するある点の周りを効果的に旋回するにつれて著しく増大も減少もしない。したがって、構成要素４０の、器具の残部に対する角度は、器具の全長または全高を変えずに、変更されうる。したがって、使用中、外科医は、後で器具の全高を再調節する必要なく、切断ブロック４０の角度を変更することができる。ピボット機構は、線（先行技術の装置で行われる）ではなく円弧（したがって適切な角度）を用いて後方の傾斜を設定し、かつ、近位旋回基準を有して脛骨の長さとは無関係の後方の傾斜を設定することができるように、設けられ構成されることができる。
【００３１】
器具２０は、ブレース３０を含み、ブレース３０により、器具は、患者に取り付けられ、患者上で支持されることができる。本発明を例示する実施形態は、整列ガイドを含むが、他の実施形態では、ブレース３０が他のタイプの器具もしくは構成要素を患者の身体に対して支持していてもよいことが理解されるであろう。この例示的な実施形態では、器具２０は、脛骨切断ブロック４０を含む外部整列ガイドである。整列ガイド５０により、切断ブロックは、脛骨の長さ方向軸に対して整列され、また、切断ブロック４０の高さおよび角度位置が調節されて、予定の、または好ましい位置および／または向きで脛骨切断を行うことができる。
【００３２】
ブレース（grace）３０は、ブレース３０の概ね両側に設けられた第１の部材３２および第２の部材３４を含む。部材３２、３４は、スナップ嵌めファスナーの開口部品を含む共通の中央またはブリッジ部分３６に取り付けられ、ブリッジ部分３６により、ブレース３０は、ベース８０の協働部品に解放可能に取り付けられることができる。各部材３２、３４は、ループの形をしており、開いた穴もしくは開口部がそれらのループにより画定されている。ループは、リボンまたはバンド材料から形成されている。バンド材料は、複雑な形状を有しており、いくつかの方向に湾曲する。まず、バンド材料は、その横方向寸法がいくらかのバネ力をもたらすので、湾曲する。さらに、バンド材料は、概ね凹状の形態を画定するように湾曲する。各ループは、患者のそれぞれのくるぶしを受容するようにサイズ決めされ成形された概ね西洋梨型または涙滴型の開口部３８を画定するように形成される。
【００３３】
ブレース構成要素３０全体は、弾性プラスチック材料から作られ、ブレースは概して弾力があり、ブレースを患者の足首の上に押し嵌めることができ、部材３２、３４がくるぶしを取り囲み、ブレースの弾性材料により、ブレースが患者の足首をしっかりとつかみ、器具を所定の場所に保持する。
【００３４】
ブレースは、ポリウレタン、ＡＢＳ、ナイロンまたはポリプロピレンを含む様々なタイプのポリマーなど、適切なプラスチック材料から作られることができる。プラスチック材料は、使用中に異なるサイズの範囲の足首に取り付けられてその足首をつかむために、適切な弾力（elaqsticity）および可撓性を有するように選択される。他の実施形態では、ブレースは、金属、合金、複合材、高降伏応力金属（high yield stress metals）、ならびにハイブリッド金属およびプラスチックといった、任意の適切な弾力のある材料から作られてよい。
【００３５】
前記の通り、部材の形状は、部材が使用中にくるぶしに確実に巻き付くように適応または構成されている。ブレースの開口部により、外科医はくるぶしに触れることができるので、外科医は器具の正確な位置付けを再確認する。開口部の寸法は、集団で全般に見られるくるぶしの約９５％にブレースが適するように設計される。
【００３６】
くるぶしの形状は、使用される特定の材料と共に、足首の周りで必要な固定またはグリップ力を与えるように選択され、器具は、患者に押し嵌めて取り付けられることができる。器具は、ブレースの弾性材料により及ぼされるバネ力によって、ブレースが概して独自の位置で足首上にロックされるにつれて、少なくとも部分的に自己配置される（self-locating）。
【００３７】
本発明の他の適用では、部材は、ブレースが取り付けられるべき特徴部の他の骨部分を捕捉するために、異なる形状および寸法を有するであろうことが認識されるはずである。
【００３８】
また、ブレースの材料は、ブレースが集団中に存在する足首サイズの約９５％に適合するよう、ブレースの十分な可撓性および弾力性をもたらすように選択される。
【００３９】
ブレースは、足首の左側および右側のくるぶしのわずかに異なる解剖学的構造を考慮に入れるために、第１および第２の部材が異なる形状およびサイズを有するので、非対称である。単にブレースを器具から取り外し、ブレースを１８０°にわたって回転させ、ブレースを器具に再び取り付けることによって、器具を左側および右側の足首に使用することができる。したがって、患者の左側および右側の足首両方に単一の器具を使用することができる。さらに、ブレースは、典型的な患者の脛骨により整列ガイドを自動的に位置付けるように設計される。典型的には、脛骨は、脚の外側から約６０％、内側から４０％のところに位置している。したがって、ブレースは、整列ガイド５０がブレースの外側から約６０％、内側から４０％の位置でブレースに取り付けられる（ブレースの内側および外側は、内側および外側のくるぶしのわずかに異なる解剖学的構造を受容するように異なる形状およびサイズの部材によって定められる）ように設計される。よって、器具が最初に患者に取り付けられると、ブレースは、患者の内側‐外側方向において６０／４０の割合で自動的に位置付けられ、整列ガイドは、脛骨と自動的におおよそ整列される。
【００４０】
他の実施形態では、ブレースの６０％‐４０％（または任意の他の割合）の位置付けは、同じ構成要素に２つの異なる材料を使用することによって達成されることもできる。例えば、ブレースは、異なる剛性または機械特性を有する２つの材料で作られてよく、１つは内側部分用、もう１つは外側部分用である。このように、ブレースは、任意の所定の足首サイズに合わせて自己センタリングすることができる。
【００４１】
器具の残りの部品は、適切な生体適合性金属で作られたクランプおよびクリップの様々なバネおよびピン部品を除いて、ＡＢＳ、ポリプロピレン、ポリウレタン、ポリエチレン、ポリカーボネート、およびナイロンといった、様々なプラスチック材料で作られてよい。さらに、切断ガイド４０は、典型的には、ステンレス鋼または類似のものといった、適切な生体適合性金属で作られる。
【００４２】
器具の使用について説明する。前記に説明したように、本発明は、説明した特定の外部脛骨整列ガイドに限定されるものではなく、他のタイプの外科器具にも使用されてよく、同様に本発明を使用する方法も前述の特定の器具に限定されるものではない。
【００４３】
最初に、外科医は、器具の長さ方向軸を患者の下肢の長さ方向軸と、すなわち下‐上方向に概ね整列させることにより、器具を患者の下肢と概ね整列させる。ブレースは、足首の前方かつ足首の上で、くるぶし付近に位置付けられる。外科医は、ブレースが患者の足首に対して正確な向きにあるかどうかを確認することができ、正確な向きにない場合は、ブレースを取り外し、１８０°だけ回転させ、その後、器具に再び取り付けることができる。ブレースは、患者の足首の上で押され、ブレースは変形して、部材により画定された概ね内曲しているかまたはＣ字型の断面空間の口部分に足首を入れる。部材の湾曲した前縁部は、部材がくるぶしの後方まで通過しくるぶしを囲むようにブレースが足首上に十分に押されるまで、くるぶしの上に載る。部材８２の湾曲縁部８４は、患者の脛の前部の一部と隣接させられ、脛骨から離れた好適な位置で整列ガイドを保持する。
【００４４】
ブレースが弾性材料で作られるので、ブレースは、足首の周りを自動的にクランプし足首をしっかりとつかむ。また、部材の穴は、くるぶしの骨部分を受容するように成形されているので、ブレースは、くるぶし周辺に自動的に据えられ、ゆえに、特定の位置にブレース自体を自己設置する。ブレースの弾性材料により及ぼされる握力はまた、ブレースを概ね前方方向に足首から引き離すことでブレースを取り外すために十分な力が加えられない限り、ブレースが大きく動くことを防ぐ。さらに、整列ガイドがブレースの幅に沿って６０：４０で位置するので、整列ガイドは、異常な解剖学的構造がなければ、脛骨の中央と主として整列されるであろう。
【００４５】
外科医は、ガイド５０の位置付けを微調整するために、必要であれば、次に、ベースクランプ６０を操作し、整列ガイドを内側‐外側方向にスライドさせることができる。外科医はまた、必要な場合、ガイドの長さを伸ばすかまたは減少させるためにクリップ７９を操作することができ、脛骨の遠位部分に対して正確な高さで切断ブロックを位置付けて脛骨の切断を行う。外科医はまた、ピボット機構クランプ９８を操作し、ガイドの上方部品および切断ブロックを脛骨に向けて押すことにより、切断ブロックの切断角度を変えるように整列ガイドの上方部品を傾けることができる。外科医は、開口部９６を通して表示される現在の傾斜度を見て、所望の傾斜度がいつ達成されたかどうか判断することができる。湾曲部材は、切断ブロックの上方プレートで概ね終端する曲率半径を有するので、上方部品が傾斜したときに、ガイドの全長、すなわち、切断ブロックの切断ガイドスロットとブレースとの間の間隔は、実質的に変化せず、そのため、脛骨に対する切断ブロックの高さを変える必要はない。
【００４６】
切断ブロックは次に、所定の場所でピン留めされうる。バネクリップ１２０は、次に、切断ブロックを解放するように操作されてよく、外科医は、器具を引っ張って、ブレースをくるぶし周辺から解放することができる。したがって、外科医は、ブレースを使用して、より簡単に器具を取り付けおよび解放することができる。器具はまた、より大きな調節機能および使いやすさをもたらす。
【００４７】
〔実施の態様〕
（１）  外科器具において、
遠位端部を含む第１の部品および近位端部を有する第２の部品を有する整列ガイドであって、前記第１の部品は、前記第１の部品が前記第２の部品に対して傾けられうるように、ピボット機構によって前記第２の部品に取り付けられる、整列ガイドと、
患者の手足に前記器具を取り付けるための、前記整列ガイドの前記近位端部に向けて取り付けられたブレースと、
前記整列ガイドの前記遠位端部に向けて取り付けられた構成要素と、
を含み、
前記ピボット機構は、前記第１の部品を傾けることにより前記構成要素と前記ブレースとの間の間隔が実質的に変化しないように、構成されている、器具。
（２）  実施態様１に記載の器具において、
前記ピボット機構は、湾曲部材を含み、
前記湾曲部材の位置と前記構成要素におけるある点との間の間隔が、前記湾曲部分の曲率半径と実質的に同じ長さを有する、器具。
（３）  実施態様２に記載の器具において、
前記ピボット機構は、前記第１の部分に取り付けられたスリーブを含み、
前記スリーブは、前記湾曲部材上にスライド可能に設置される、器具。
（４）  実施態様１に記載の器具において、
前記ピボット機構は、前記第２の部品の長さ方向軸に沿ってスライドさせられて、前記器具の全長を変えることができる、器具。
（５）  実施態様１に記載の器具において、
前記ピボット機構は、特定の傾斜角度で前記ピボット機構を保持するクランプを含む、器具。
【００４８】
（６）  実施態様１に記載の器具において、
前記ピボット機構は、前記器具の前記第１の部品の現在の傾斜度を表示することができる目盛りを含む、器具。
（７）  実施態様１に記載の器具において、
前記ブレースは、前記器具の後側に向かって外側に突出し、前記ピボット機構は、前記ブレースとは概ね反対の方向において前記器具の前側に向かって外側に突出する、器具。
（８）  実施態様１に記載の器具において、
前記第１の部品は、前記第１の部品の長さの一部に沿って延びる中空領域を含み、前記中空領域は、前記第２の部品の少なくとも一部を受容することができ、
前記第１の部品の後側は、細長い開口部を含み、前記細長い開口部によって、前記第２の部品の前記一部は、前記第１の部品が前記第２の部品に対して傾斜されたときに前記第１の部品から解放されうる、器具。
（９）  実施態様１に記載の器具において、
ベース、
をさらに含み、
前記整列ガイドの前記近位端部は、前記ベース上にスライド可能に設置されて、前記整列ガイドの外側位置を前記ブレースに対して調節する、器具。
（１０）  実施態様２に記載の器具において、
前記構成要素は、切断スロットを有する切断ブロックであり、前記器具は、前記第１の部品が前記切断スロットにおけるある点の周りを旋回するように構成されている、器具。
【図面の簡単な説明】
【００４９】
【図１】先行技術の外部脛骨整列ガイドの側面図を示す。
【図２】本発明を含む整列ガイドの斜視図を示す。
【図３】図２に示す整列ガイドの側面図を示す。
【図４】図２に示す整列ガイドの分解組立斜視図を示す。
【図１】
0005415423.tif 000002
【図２】
0005415423.tif 000003
【図３】
0005415423.tif 000004
【図４】
0005415423.tif 000005